(57)【要約】【課題】参照可能な状態にあるＨＴＭＬ、ＢＭＬなどのコンテンツについて、意図しない参照を防止する仕組みを提供する。【解決手段】再生制御ファイル１１５などのコンテンツ情報１１７が記述されている部分に、左側のリストに示す制御情報１１７ａを記述した例を示す図である。ここでは、コンテンツ情報１１７ａに、＜ｄｅｎｙ＿ｄｏｍａｉｎ＞ｗｗｗ．ｘｘｘ．ｃｏｍ＜／ｄｅｎｙ＿ｄｏｍａｉｎ＞のようにドメイン拒絶指定１１７ｂを記載しておくことで、“ｗｗｗ．ｘｘｘ．ｃｏｍ”のドメインからの参照を拒否することができる。【選択図】図６
2009271914.tif 000002
【特許請求の範囲】
【請求項１】
コンテンツ記述言語で記載された文書から、コンテンツを参照する場合におけるコンテンツ参照制御方法であって、
前記コンテンツを制御するメタデータにより、参照元であるコンテンツ記述言語で記載された文書のＵＲＬ、もしくは、ドメイン名、ファイル名を予め記述し、該記述された参照元からのコンテンツの参照のみを許可する制御を行うことを特徴とするコンテンツ参照制御方法。
【請求項２】
コンテンツ記述言語で記載された文書から、コンテンツを参照する場合におけるコンテンツ参照制御方法であって、
コンテンツを制御するメタデータにより、参照元である前記コンテンツ記述言語で記載された文書のＵＲＬ、もしくは、ドメイン名、ファイル名を予め記述し、該記述された参照元以外からのコンテンツの参照を不許可にする制御を行うことを特徴とするコンテンツ参照制御方法。
【請求項３】
前記コンテンツは、機器に蓄積されている蓄積コンテンツであることを特徴とする請求項１又は２に記載のコンテンツ参照制御方法。
【請求項４】
前記コンテンツは、ＶＯＤコンテンツであることを特徴とする請求項１又は２に記載のコンテンツ参照制御方法。
【請求項５】
請求項１から３までのいずれか１項に記載の蓄積コンテンツ参照制御方法をコンピュータに実行させるためのプログラム。
【請求項６】
請求項５に記載のプログラムを記録したコンピュータ読み取り可能な記録媒体。
【請求項７】
参照元であるコンテンツ記述言語で記載された文書のＵＲＬ、もしくは、ドメイン名、ファイル名の記述の有無を判定する判定部と、
該判定部の判定結果に基づいて、前記記述された参照元からのコンテンツの参照のみを許可する制御を行う制御部であって、コンテンツを制御するメタデータにより、参照元である前記コンテンツ記述言語で記載された文書のＵＲＬ、もしくは、ドメイン名、ファイル名を予め記述し、該記述された参照元からのコンテンツの参照のみを許可する制御部と、を有することを特徴とするコンテンツ提供装置。
【請求項８】
参照元であるコンテンツ記述言語で記載された文書のＵＲＬ、もしくは、ドメイン名、ファイル名の記述の有無を判定する判定部と、
該判定部の判定結果に基づいて、前記記述された参照元以外からのコンテンツの参照を不許可にする制御を行う制御部であって、コンテンツを制御するメタデータにより、参照元である前記コンテンツ記述言語で記載された文書のＵＲＬ、もしくは、ドメイン名、ファイル名を予め記述し、該記述された参照元以外からのコンテンツの参照を不許可にする制御部と、有することを特徴とするコンテンツ提供装置。
【請求項９】
第１のコンテンツ情報と、ライセンス情報と、を含む再生制御ファイルと、第２のコンテンツの情報を記述するメタファイルと、の両方、またはどちらか一方により、コンテンツを制御する制御情報が構成されていることを特徴とする請求項７又は８に記載のコンテンツ提供装置。
【請求項１０】
請求項７から９までのいずれか１項に記載のコンテンツ提供装置と、
該コンテンツ提供装置と接続されるコンテンツ取得装置と、を有することを特徴とするコンテンツシステム。
【発明の詳細な説明】
【技術分野】
【０００１】
本発明は、コンテンツの参照制御技術に関する。
【背景技術】
【０００２】
近年、記録再生装置やテレビジョン受信装置などのＡＶ機器において、放送波又はネットワーク経由で、コンテンツを取得することが簡単にできるようになってきている。例えば、VOD(Video On Demand)などのストリーミングコンテンツや記録再生装置などに蓄積されたコンテンツそのものを安全に再生するための技術は一般的に存在する（例えば非特許文献１参照）。ＤＲＭ（Ｄｉｇｉｔａｌ  Ｒｉｇｈｔ  Ｍａｎａｇｅｍｅｎｔ：デジタル著作権管理）は、デジタルデータとして表現されたコンテンツの著作権を保護し、その利用や複製を制御・制限する技術である。例えば、音声・映像ファイルにかけられる複製の制限技術などがある。
【先行技術文献】
【非特許文献】
【０００３】
【非特許文献１】Windows Media DRMシステム、(http://www.microsoft.com/windows /windowsmedia/forpros/drm/default.mspx)
【発明の概要】
【発明が解決しようとする課題】
【０００４】
しかしながら、上記ＤＲＭシステムは、映像・音声等のコンテンツにかけられるものであり、例えば、ＨＴＭＬコンテンツ内においての映像コンテンツ等が同じ画面に表示されるような場合には、ＨＴＭＬコンテンツと映像コンテンツとの組み合わせという観点からの考慮がなされていない。従って、映像コンテンツの提供者側が意図しない参照をされる可能性があるという問題がある。例えば、映像コンテンツ提供者にとって悪意のあるＨＴＭＬコンテンツが作成され、映像コンテンツとＨＴＭＬコンテンツとが同時に表示されることにより、視聴者に意図しない結果をもたらすなどの問題が生じる。  
【０００５】
本発明は、参照可能な状態にあるＨＴＭＬ、ＢＭＬなどのコンテンツについて、映像・音声コンテンツ提供者側が制限をかけることによって、意図しない参照を防止する仕組みを提供することを目的とする。
【課題を解決するための手段】
【０００６】
本発明は、映像・音声コンテンツを制御するメタデータの記述により、参照元であるＨＴＭＬ又はＢＭＬ等のコンテンツ記述文書により記述されたコンテンツのＵＲＬ、もしくは、ドメイン名、ファイル名などを記述することを特徴とする。これにより、そこで記述されたコンテンツ以外から、もしくは、その逆に、そこで記述されていないコンテンツ以外からの参照を許可/不許可することができ、映像・音声コンテンツ提供者側から、コンテンツの利用を制御することを可能とする。
【０００７】
本発明の一観点によれば、コンテンツ記述言語で記載された文書から、コンテンツを参照する場合におけるコンテンツ参照制御方法であって、前記コンテンツを制御するメタデータにより、参照元であるコンテンツ記述言語で記載された文書のＵＲＬ、もしくは、ドメイン名、ファイル名を予め記述し、該記述された参照元からのコンテンツの参照のみを許可する制御を行うことを特徴とするコンテンツ参照制御方法が提供される。これにより、コンテンツ提供者側からコンテンツの２次的利用を制御することができる。
【０００８】
また、コンテンツ記述言語で記載された文書から、コンテンツを参照する場合におけるコンテンツ参照制御方法であって、コンテンツを制御するメタデータにより、参照元である前記コンテンツ記述言語で記載された文書のＵＲＬ、もしくは、ドメイン名、ファイル名を予め記述し、該記述された参照元以外からのコンテンツの参照を不許可にする制御を行うことを特徴とするコンテンツ参照制御方法が提供される。これにより、コンテンツ提供者側からコンテンツの２次的利用を制御することができる。
【０００９】
前記コンテンツは、機器に蓄積されている蓄積コンテンツであっても良くＶＯＤコンテンツであっても良い。
【００１０】
本発明は、上記コンテンツ参照方法をコンピュータに実行させるためのプログラムであっても良く、該プログラムを記録するコンピュータ読み取り可能な記録媒体であっても良い。プログラムは、インターネットなどの伝送媒体によって取得するものであっても良い。
【００１１】
また、本発明の他の観点によれば参照元であるコンテンツ記述言語で記載された文書のＵＲＬ、もしくは、ドメイン名、ファイル名の記述の有無を判定する判定部と、該判定部の判定結果に基づいて、前記記述された参照元からのコンテンツの参照のみを許可する制御を行う制御部であって、コンテンツを制御するメタデータにより、参照元である前記コンテンツ記述言語で記載された文書のＵＲＬ、もしくは、ドメイン名、ファイル名を予め記述し、該記述された参照元からのコンテンツの参照のみを許可する制御部と、を有することを特徴とするコンテンツ提供装置が提供される。
【００１２】
また、参照元であるコンテンツ記述言語で記載された文書のＵＲＬ、もしくは、ドメイン名、ファイル名の記述の有無を判定する判定部と、該判定部の判定結果に基づいて、前記記述された参照元以外からのコンテンツの参照を不許可にする制御を行う制御部であって、コンテンツを制御するメタデータにより、参照元である前記コンテンツ記述言語で記載された文書のＵＲＬ、もしくは、ドメイン名、ファイル名を予め記述し、該記述された参照元以外からのコンテンツの参照を不許可にする制御部と、有することを特徴とするコンテンツ提供装置が提供される。
【００１３】
第１のコンテンツ情報と、ライセンス情報と、を含む再生制御ファイルと、第２のコンテンツの情報を記述するメタファイルと、の両方、またはどちらか一方により、コンテンツを制御する制御情報が構成されていることが好ましい。本発明は、上記に記載のコンテンツ提供装置と、該コンテンツ提供装置と接続されるコンテンツ取得装置と、を有することを特徴とするコンテンツシステムであっても良い。
【発明の効果】
【００１４】
映像・音声コンテンツ提供者側が、ＨＴＭＬ、ＢＭＬなどのコンテンツ記述言語で記載された文書からのコンテンツの参照について制限をかけることによって、勝手な参照を防ぐことが可能となる。
【図面の簡単な説明】
【００１５】
【図１】本発明の一実施の形態によるコンテンツ参照技術の対象となるコンテンツ参照システムの一構成例を示す図である。
【図２】コンテンツを表示する装置の例であるデジタルテレビジョン受信装置の一構成例を示す図である。
【図３】コンテンツが蓄積される装置の例であるハードディスクレコーダ（記録再生装置）の一構成例を示す機能ブロック図である。
【図４】デジタルテレビジョン受信装置の表示画面例である。ＨＴＭＬ／ＢＭＬブラウザにより、ＶＯＤコンテンツ、または、レコーダに蓄積済みの蓄積コンテンツが表示されており、さらに、これを閲覧するためのコンテンツ記述言語で記載された文書によるＵＩが示されている。
【図５】映像コンテンツとこの映像コンテンツを再生する際の制御を行う再生制御ファイルと、メタファイルとの関係を示す図である。
【図６】再生制御ファイルのコンテンツ情報が記述されている部分に、左側のリストに示す制御情報を記述した例を示す図である。
【図７】再生制御ファイルに制御情報を付加した記述した例を示す図である。
【図８】図６・７とは別の制御情報の例を示す図である。
【図９】メタファイルを用いた制御情報の例を示す図である。
【図１０】本実施の形態によるコンテンツの参照制御処理の流れを示すフローチャート図である。
【発明を実施するための形態】
【００１６】
本明細書において、「コンテンツ記述言語で記載された文書」とは、例えば、ＨＴＭＬやＢＭＬなどのコンテンツ記述言語で記載された文書」を指す。また、ＨＴＭＬやＢＭＬなどのコンテンツ記述言語により、映像・音声などのコンテンツを指し示す記述をすることができる。また、コンテンツとは、装置に蓄積されている蓄積コンテンツや、ＶＯＤなどにより取得できるコンテンツが含まれ、コンテンツには、その属性を示すメタデータが関連付けされている。
【００１７】
以下、本発明の一実施の形態によるVODコンテンツ、または、蓄積コンテンツの参照制御技術について、図面を参照しながら説明を行う。
【００１８】
図１は、本実施の形態によるコンテンツ参照技術の対象となるコンテンツ参照システムの一構成例を示す図である。図２は、コンテンツを表示する装置の例であるデジタルテレビジョン受信装置の一構成例を示す図であり、図３は、コンテンツが蓄積される装置の例であるハードディスクレコーダ（記録再生装置）の一構成例を示す機能ブロック図である。
【００１９】
図１に示すように、本実施の形態によるコンテンツ参照システムＡは、コンテンツサーバ１と、このコンテンツサーバ１とネットワーク２により接続されるレコーダＢと、レコーダＢと例えばＨＤＭＩケーブル７１等により接続される表示部２１を含むデジタルテレビジョン受信装置Ｃと、を有している。ＶＯＤコンテンツは、コンテンツサーバ１からレコーダＢに送信される。また、蓄積コンテンツは、コンテンツサーバ１からレコーダＢに蓄積される。尚、蓄積コンテンツは、放送波を介して取得されるようにしても良い。尚、一例ではあるが、レコーダＢとデジタルテレビジョン受信装置Ｃとが一体になるシステムや、デジタルテレビジョン受信装置ＣにＨＤＤ装置を具備するシステムも対象となる。また、レコーダＢの記録機能がないデジタルテレビジョン受信装置Ｃが、ＶＯＤコンテンツ再生機能を具備する場合にも、システムを構成する対象機器となる。また、もちろんレコーダＢがＶＯＤコンテンツ再生機能を具備するシステムも対象機器となる。尚、コンテンツサーバ１の詳細については後述する。図１では、レコーダＢが示されているが、レコーダＢが存在しない構成でも良く、コンテンツサーバＡとテレビジョン受信装置Ｃとが直接接続されている構成例でも良い。
【００２０】
図２に示すように、デジタルテレビジョン受信装置Ｃは、アンテナから受信した放送波を選局等するフロントエンド３と、デマチプレクサ４と、デマルチプレクサ４からの出力信号を受けて映像・音声をデコードする映像・音声デコード部５と、音声出力部（スピーカ）７と、例えば文字放送などにおける文字などを合成する画面合成部１７と、表示部２１と、リモコン受光部２３と、制御部（ＣＰＵ）２５と、メモリ部２７と、を有しており、これらが、バスラインＢＬ１により接続されている。インターフェイス部１５によりデジタルテレビジョン受信装置ＣとレコーダＢとの接続が行われる。デジタルテレビジョン受信装置Ｃが、対象機器になる場合には、さらに、ネットワークと接続する通信部８を備え、ＶＯＤコンテンツを取得できるようになっている。制御部２５には、ＶＯＤの機能を発揮するためのＶＯＤ機能部２５ａが設けられている。この場合には、ＶＯＤコンテンツが参照対象である。
【００２１】
一方、レコーダ機能をもった機器になっている場合について説明する。この場合には、蓄積コンテンツが参照対象である。
【００２２】
図３に示すように、レコーダ装置Ｂは、アンテナ４１と、チューナ４３と、ネットワークインターフェイス部４４と、信号処理部４５と、制御部（ＣＰＵ）４７と、リモコン受光部５１と、ハードディスクなどの記憶部５３と、インターフェイス部５５と、光ディスク駆動部６３と、操作部６７と、を有しており、これらが、バスラインＢＬ２により接続されている。記憶部５３には、コンテンツ蓄積部５３ａが設けられ、放送波又はネットワーク２経由で取得したコンテンツが蓄積される。  
【００２３】
図４に示すように、デジタルテレビジョン受信装置Ｃの表示画面２１には、アンテナ４１から受信した放送やネットワークインターフェイス部４４から受信したデータなどに基づいて、ＨＴＭＬ／ＢＭＬブラウザにより、○○△△ショッピングページ１０１が表示されており、そのＨＴＭＬ／ＢＭＬブラウザには、上記のように、ＶＯＤコンテンツ、または、レコーダＢに蓄積済みの蓄積コンテンツであり、例えばこの映像コンテンツ１０３が表示され、これを閲覧することができるようになっている。すなわち、コンテンツ内で参照される映像コンテンツ１０３は、ネットワークからリアルタイムで取得するＶＯＤコンテンツ、または、既にハードディスクなどの記憶部５３内に蓄積されている映像コンテンツである。かかるページは、図１には示されていないが、ネットワーク２（図１）経由で、インターネット上や家庭内の任意のサーバなどから参照することができるため、コンテンツ提供者以外の者がこのページを作成することが可能である。これを、コンテンツの２次的利用と称する。
【００２４】
図５は、映像コンテンツ１１１と、この映像コンテンツ１１１を例えば図１に示すレコーダＢにより再生し、デジタルテレビジョン受信装置Ｃとを利用して視聴する場合における、再生処理の制御を行うためにコンテンツサーバ１からコンテンツに付随して提供される再生制御ファイル１１５とを示す図である。図５に示す構成では、再生制御ファイル１１５は、コンテンツ情報１１７と、ライセンス情報１２１と、を含んでいる。再生制御ファイル１１５は、コンテンツ情報１１７などのうちの１つ、もしくは、複数の情報を１つのファイルとしてマルチパート化した構成にすることができる。
【００２５】
通常、コンテンツは、ＭＰＥＧ２などのメディアファイルの他に、そのメディアファイルの再生を行うために必要な、コンテンツ情報(タイトル名など)、ライセンス情報などを持ち合わせる再生制御ファイルとセットで管理される。また、それとは別に、コンテンツの情報を記述するメタファイル１１８が存在することもある。このメタファイル１１８は、主にインターネット上から取得されることが想定される。メタファイルにもコンテンツ情報１１８ａが含まれる。
【００２６】
尚、メタファイル１１８の取得方法の指定方法は、本発明では詳しく特定していないが、一例として、コンテンツ情報１１７にメタファイル１１８を取得するための方法(データの取得方法、URL情報など)が記述されており、その場合にこの方法に基づいてメタファイル１１８の取得方法の指定することができる。
【００２７】
また、上記のコンテンツを制御するためのメタデータ相当の内容が、コンテンツに組み込まれている場合も含まれる。
【００２８】
再生制御ファイル１１５内のコンテンツ情報１１７は、参照元であるＨＴＭＬ、ＢＭＬコンテンツのＵＲＬ、もしくは、ドメイン名、ファイル名などを、予め記述しておくことができるように構成されている。このように構成することにより、そこで記述されたコンテンツ以外から、もしくは、その逆での参照を許可/不許可の仕組みを入れることにより、映像コンテンツ提供者側から、コンテンツの２次的利用を制御することが可能となる。尚、このコンテンツ情報１１７は、ＸＭＬ文書で記述されるのが一般的であるが、必ずしもＸＭＬ文書である必要はなく、同様の機能をもった記述言語で記載されている文書でもよい。  
【００２９】
尚、コンテンツ提供者側が、コンテンツの再生・参照の許可／不許可の仕組みの組込みを簡単な操作で行うことができるようにするために、送信対象となるコンテンツを選択すると、コンテンツサーバ１が保持する表示部（図示せず）に制御ファイルが表示され、例えばコンテンツサーバ１が保持する記憶装置に記憶されている制御情報を取得してリスト表示やメニュー表示がなされるように構成することにより、コンテンツ提供者側において簡単な操作で制御情報を作成することができる。
【００３０】
尚、図５に示すように、本機能を実現させるために、再生制御ファイル１１５とメタファイル１１８の両方に制御情報を記述する部分があるが、いずれか一方にのみ記述されている場合には、そのどちらかを、両方に記述されている場合には、その組み合わせ、もしくは、どちらか片方を利用することができる。その判断方法に関しては、本発明においては特定の方法に限定されるものではなく、いずれの方法を用いても良い。
【００３１】
図６は、再生制御ファイル１１５のコンテンツ情報１１７が記述されている部分に、左側のリストに示す制御情報１１７ａを記述した例を示す図である。ここでは、コンテンツ情報１１７ａに、＜ｄｅｎｙ＿ｄｏｍａｉｎ＞ｗｗｗ．ｘｘｘ．ｃｏｍ＜／ｄｅｎｙ＿ｄｏｍａｉｎ＞のようにドメイン拒絶指定１１７ｂを記載しておくことで、“ｗｗｗ．ｘｘｘ．ｃｏｍ”のドメインからの参照を拒否する指定をすることができる。  
【００３２】
また、例えば、再生制御ファイル１１５にＵＲＬ制御情報１１６を付加記述した例を図７に示す。ここでは、＜ｄｅｎｙ＿ｄｏｍａｉｎ＞ｗｗｗ．ｘｘｘ．ｃｏｍ＜／ｄｅｎｙ＿ｄｏｍａｉｎ＞のようにドメイン拒絶指定１１６aを記載しておくことで、“ｗｗｗ．ｘｘｘ．ｃｏｍ”のドメインからの参照を拒否する指定をすることができる。  
【００３３】
また、図８に示すように、再生制御ファイル１１５とは別ファイルであるＵＲＬの制御情報を記述するＵＲＬ制御情報ファイル１３１を設け、そのＵＲＬ制御情報ファイル１３１ａのファイル内容によって、＜ｄｅｎｙ＿ｄｏｍａｉｎ＞ｗｗｗ．ｘｘｘ．ｃｏｍ＜／ｄｅｎｙ＿ｄｏｍａｉｎ＞のようにドメイン拒絶指定１３１ｂを記載しておくことで、“ｗｗｗ．ｘｘｘ．ｃｏｍ”のドメインからの参照を拒否する指定をすることができる。
【００３４】
また、メタファイル１１８においても、図９に示すように、メタファイル１１８のコンテンツ情報１１８aのファイル情報によって、＜ｄｅｎｙ＿ｄｏｍａｉｎ＞ｗｗｗ．ｘｘｘ．ｃｏｍ＜／ｄｅｎｙ＿ｄｏｍａｉｎ＞のようにドメイン拒絶指定１１８ｂを記載しておくことで、“ｗｗｗ．ｘｘｘ．ｃｏｍ”のドメインからの参照を拒否する指定をすることができる。
【００３５】
図１０は、本実施の形態によるコンテンツの参照制御処理の流れを示すフローチャート図である。まず、ステップＳ１で処理が開始され（ＳＴＲＡＴ）、ステップＳ２において、ＨＴＭＬやＢＭＬなどのコンテンツ記述文書からコンテンツへの参照要求（依頼）があると（ＹＥＳ）、ステップＳ３において、メタデータの解析処理を行う。例えば、図７に示すように、再生制御ファイル１１５にＵＲＬ制御情報１１６を付加記述されていれば、このＵＲＬ制御情報１１６に基づくと解析する。或いは、図６の、再生制御ファイル１１５のコンテンツ情報１１７に基づくと解析する。尚、それらの情報に、メタファイル１１８やURL制御情報ファイル１３１の取得先URLなどが記述されている場合は、それらのメタデータを取得する。尚、そのメタデータを取得済み（以前のデータ有り）の場合には、上記のように再度メタデータを取得するか否かについては問わない。
【００３６】
次のステップＳ４において、複数制御情報があった場合、どのデータを利用するかの判断、もしくは、複数のデータの組み合わせを利用して、拒絶／許可データの作成を行う（データ統計処理）。本発明では、制御するデータは、再生制御ファイルのコンテンツ情報、再生制御ファイルのURL制御情報、URL制御情報ファイル、メタファイルのコンテンツ情報と様々あるが、この拒絶／許可データの作成アルゴリズムに関しては、メタファイルに記述されているデータを用いる方法、もしくは、再生制御ファイルのコンテンツ情報に記述されているデータを用いるがある。また、異なるデータ先においても、記述されているデータが重ならないなどのことも考えられる。従って、全てのデータ、もしくは、一部のデータを利用して、データ統計を行うこともできる。
【００３７】
以下のステップでは、一例として拒絶データのみであった場合を想定して説明する。
【００３８】
次いで、ステップＳ５の参照許可判定ステップに進み、ステップS４で行った拒絶データをもとに、参照しているＵＲＬとを比較し、拒絶データと同一だった場合（拒絶判断）、ステップＳ７に進み、参照を拒否する。拒絶データになければ（許可判断）ステップＳ６に進み、参照を許可する。
【００３９】
このようにすれば、ドメイン拒絶指定の有無を調べ、参照しているＵＲＬと比較することで、参照の許可・不許可を決めることができる。この情報に基づき、ＨＴＭＬブラウザやＢＭＬブラウザなどのブラウザ、もしくは、コンテンツの再生制御をつかさどる操作部６７が動作する。従って、映像コンテンツを含むＨＴＭＬやＢＭＬブラウザを外部から参照して、コンテンツを再生させるような操作について映像コンテンツ提供側で予め制限しておくことができる。
【００４０】
同じように、データ統計処理（ステップＳ４）の結果、許可データのみであった場合は、許可データと参照しているＵＲＬとを比較し、両者が同一であった場合には許可判断となり、参照を許可する。許可データになければ（拒絶判断）、参照を拒絶する。
【００４１】
また、データ統計処理の結果、拒絶／許可データが混在していた場合には、拒絶データと参照しているURLとを比較して同一だった場合には、拒絶判断となり、許可データと参照しているURLとを比較して同一であった場合には、許可判断となる。拒絶データにも許可データにも参照しているURLが一致しなかった場合は、本発明では問わないが、拒絶、もしくは、許可の判断となる。
【００４２】
以下に、ＨＴＭＬや制御の方法について一例について説明する。制御情報のリストの組み合わせによる制御方法については特に限定するものではないが例示列挙する。フラグは、許可、拒否の組み合わせによって制御される。<deny_domain>: 拒絶するドメインリスト<allow_domain>： 許可するドメインリスト<deny_URL>： 拒絶するURL<allow_URL>：許可するURLである。  
【００４３】
例えば、<deny_domain>www.hogehoge.com<deny_domain>と記述されると、ＨＴＭＬもしくはＢＭＬコンテンツがwww.hogehoge.comドメインのコンテンツであると、コンテンツは再生されないことになる(他のドメインからのコンテンツは再生される)。  
【００４４】
一方、<allow_domain>www.hogehoge.com<allow_domain>と記述されると、ＨＴＭＬもしくはＢＭＬコンテンツがwww.hogehoge.comドメインのコンテンツであると、コンテンツは再生されることになる(このドメインからのコンテンツしか再生されない)。  
【００４５】
例えば、<deny_URL>http://www.hogehoge.com/movie/<deny_URL>と記述されると、ＨＴＭＬもしくはＢＭＬコンテンツが、http://www.hogehoge.com/movie/のコンテンツであると、コンテンツは再生されない(他のURLからのコンテンツは再生される)ことになる。
【００４６】
また、<allow_URL>http://www.hogehoge.com/movie/<allow_URL>と記述されると、ＨＴＭＬもしくはＢＭＬコンテンツがhttp://www.hogehoge.com/movie/のコンテンツであると、コンテンツは再生される(このＵＲＬからのコンテンツしか再生されない)ことになる。
【００４７】
さらに、<allow_domain>www.hogehoge.com<allow_domain>、<allow_URL>http://www.hogehoge2.com /movie/<allow_URL>と記述されると、www.hogehoge.comドメインのコンテンツ、および、http://www.hogehoge2.com/movie/のコンテンツであれば再生される。  
【００４８】
以上に説明したように、映像コンテンツ提供者側が、ＨＴＭＬ、ＢＭＬ文書に対して、参照制限をかけることによって、コンテンツに関する勝手な参照を防ぐことができる。
【産業上の利用可能性】
【００４９】
本発明は、参照されるＨＴＭＬ、ＢＭＬのＶＯＤコンテンツ、また、コンテンツに関するコンテンツ提供者側からの参照制限に利用可能である。
【符号の説明】
【００５０】
１１５…再生制御ファイル、１１６…ＵＲＬ制御情報、１１７、１１８ａ…コンテンツ情報、１１８…メタファイル、１２５…ライセンス情報、１３１…ＵＲＬ制御情報ファイル。
【図１】
2009271914.tif 000003
【図２】
2009271914.tif 000004
【図３】
2009271914.tif 000005
【図４】
2009271914.tif 000006
【図５】
2009271914.tif 000007
【図６】
2009271914.tif 000008
【図７】
2009271914.tif 000009
【図８】
2009271914.tif 000010
【図９】
2009271914.tif 000011
【図１０】
2009271914.tif 000012